(57)【特許請求の範囲】
【請求項１】
左右に配置された複数個の吸湿剤袋体収納袋が、封着された端縁部を介して連接されてなり、該端縁部の長手方向全域に渡って連続したミシン目線が形成されており、個々の吸湿剤袋体収納袋の切り離しが自在な吸湿剤袋体収納袋の集合物であって、上記ミシン目線が、端縁部の左右の端辺に沿って、僅かに離間した態様で交互に施されてなり、該端縁部を横断するミシン目線の周囲に未封着域が設けられてなることを特徴とする吸湿剤袋体収納袋の集合物。
【請求項２】
吸湿剤袋体収納袋を形成する素材が厚紙であり、端縁部の封着が接着剤により行われてなる請求項１記載の吸湿剤袋体収納袋の集合物。
【請求項３】
端縁部の幅が５〜２０ｍｍである請求項１又は請求項２に記載の吸湿剤袋体収納袋の集合物。
【請求項４】
端縁部の左右の端辺に沿って形成されるミシン目線が、該端辺から５ｍｍ以内の間隔で離間して形成されており、且つ端縁部を横断するミシン目線の周囲に設けられる未封着域が、ミシン目線と封着域との間隔が３〜２０ｍｍであるように設けられてなる請求項１〜３記載のいずれかに記載の吸湿剤袋体収納袋の集合物。
【請求項５】
端縁部の端辺に近接して折り込み線が設けられており、該折り込み線と端縁部の端辺との間隙にミシン目線が形成されてなる請求項１〜４のいずれかに記載の吸湿剤袋体収納袋の集合物。
【請求項６】
端縁部の端辺に沿って形成される各ユニットのミシン目線の線長が１５〜５０ｍｍである請求項１〜５のいずれかに記載の吸湿剤袋体収納袋の集合物。
【発明の詳細な説明】
【０００１】
【発明の属する技術分野】
本発明は、吸湿剤袋体収納袋の集合物に関する。さらに詳しくは、個々の吸湿剤袋体収納袋の切り離しが自在な吸湿剤袋体収納袋の集合物に関する。
【０００２】
【従来の技術】
近年、冷暖房の効率化や省エネルギー、或いは騒音対策などの観点から、一般住宅や事務所などの気密化が図られ、それにともなって湿気に起因するカビの発生その他が新たな問題として提起されている。このため、合成樹脂製容器中に塩化カルシウムなどの吸湿剤を封入し、容器上端開口部を透湿性非透水性シートで被覆した除湿具が、広く使用されるに至っている。
【０００３】
しかしながら、かかる形態の除湿具は、合成樹脂製容器が箱形であり、設置に際しては相応する空間を必要とするため、例えば、ふとんを収納する押入れや靴類を収納する下駄箱などに使用する場合、その設置空間の確保に留意しなければならず、余剰空間が狭い場合には設置できないことがあった。
【０００４】
このため、こうした狭い隙間を対象とする場合には、透湿性非透水性シートよりなる袋状物に吸湿剤を封入した吸湿剤袋体を、開口部が形成された扁平な収納袋に収納した形態の除湿具が使用されている。また、設置する隙間の奥行きが深かい場合に対応して、これらの複数個を、封着された端縁部を介して連接した長尺な集合物の態様で使用することも知られている。
【０００５】
【発明が解決しようとする課題】
しかしながら、このように長さの異なる数種のものを製造し分けるのは煩雑であった。
【０００６】
また、これらの除湿具では、予め、挿入する隙間の奥行きや広さを測っておいて、相応する長さに連接されたものを用意することが必要であり、設置時において、その隙間の奥深さに応じて臨機に対応することができなかった。こうしたことから、上記集合物を、挿入する隙間の奥行きに合わせて適度な長さに折り畳んで使用することも提案されているが、厚みが厚くなって該隙間に挿入し難くなったり、収納袋に形成される開口部が閉塞されて除湿性能が十分に発揮されなくなる虞があり、いま一歩満足できるものではなかった。
【０００７】
以上の背景から、挿入する隙間の奥行きや広さの状態に応じて長さが臨機に調整できる、簡単な構造の吸湿剤袋体収納袋の集合物を開発することが課題であった。
【０００８】
【課題を解決するための手段】
本発明者らは、上記の課題に鑑み鋭意研究を続けてきた。その結果、左右に配置される収納袋の連接部位である端縁部に、特定の態様でミシン目線を形成させることにより上記の課題が解決できること見出し、本発明を完成するに至った。
【０００９】
即ち、本発明は、左右に配置された複数個の吸湿剤袋体収納袋が、封着された端縁部を介して連接されてなり、該端縁部の長手方向全域に渡って連続したミシン目線が形成されており、個々の吸湿剤袋体収納袋の切り離しが自在な吸湿剤袋体収納袋の集合物であって、上記ミシン目線が、端縁部の左右の端辺に沿って、僅かに離間した態様で交互に施されてなり、該端縁部を横断するミシン目線の周囲に未封着域が設けられてなることを特徴とする吸湿剤袋体収納袋の集合物である。
【００１０】
【発明の実施の形態】
以下、添付図面に準じて本発明の実施の形態を説明する。図１は、本発明の代表的態様を示す吸湿剤袋体収納袋の集合物の平面図であり、図２は、その背面図である。
【００１１】
本発明の吸湿剤袋体収納袋の集合物（１）は、左右に配置された複数個の吸湿剤袋体収納袋（２）が、封着された端縁部（３）を介して連接された構造をしている。ここで、吸湿剤袋体収納袋を連接させる数は特に制限される物ではないが、通常は、２〜４個の範囲が好ましい。
【００１２】
上記吸湿剤袋体収納袋（２）のそれぞれの内部には、透湿性非透水性シートよりなる袋状物に、塩化カルシウムなどの吸湿剤を封入した吸湿剤袋体（４）が収納されている。また、吸湿剤袋体収納袋（２）には、外気を流通させるため、円状、長惰円状等の任意の形状の開口部（５ａ）（５ｂ）が、適度な開口面積で形成されているのが一般的である。なお、個々の吸湿剤袋体収納袋の大きさは、通常、長辺が１０〜２５ｃｍであり、短辺が５〜１５ｃｍであるのが一般的である。
【００１３】
そして、本発明の吸湿剤袋体収納袋の集合物には、後述する如くに特定の態様で、前記端縁部（３）の長手方向全域に渡って連続したミシン目線（６）が形成されている。その結果、本発明の吸湿剤袋体収納袋の集合物では、こうした長尺な集合物の形態で除湿具として使用するだけでなく、設置する隙間の奥行きやその広さの状態に合わせて、上記ミシン目線（６）を裂いて、吸湿剤袋体収納袋の一つを切り離したり、適当な長さの集合物に切り離して使用することができる。
【００１４】
本発明の大きな特徴は、上記端縁部（３）の長手方向全域に形成されるミシン目線（６）が、該端縁部（３）の左右の端辺に沿って、僅かに離間した態様で交互に施されており、さらに、該端縁部（３）を横断するミシン目線（８ａ）（８ｂ）の周囲に、未封着域が設けられている点にある。
【００１５】
即ち、吸湿剤袋体収納袋の集合物において、前記端縁部の幅は通常、５〜２０ｍｍと極めて狭いため、この狭い範囲にミシン目線を施すことは、精巧さが要求され面倒な作業であった。特に、吸湿剤袋体収納袋の集合物は、通常、該集合物の展開形状に型取られた厚紙を長尺の袋状物に組み立てた後、端縁部に当たる各箇所において、対向する内面同士をホットメルト接着剤等の接着剤により封着して区切ることにより製造されるのが一般的であり、このような製造に際して、予め、上記厚紙の端縁部に当たる箇所に、長手方向に直線的にミシン目線を形成させておいても、封着時に、該ミシン目線を避けて接着剤を塗布することは困難であった。従って、生産性が大きく低下したり、ミシン目が接着剤により目詰まりして、その引き裂き性が大きく低下する問題が生じるものであった。
【００１６】
これに対して、本発明を示す図１及び図２の吸湿剤袋体収納袋の集合物では、端縁部（３）の長手方向全域に渡って連続して形成されるミシン目線（６）は、該端縁部（３）の左側端辺の上方と下方に位置するユニット（７ａ）及びユニット（７ｂ）と、同端縁部の右側端辺の中央付近に位置するユニット（７ｃ）とに、該端縁部に沿って交互に施されている。そして、これらの各ユニットは、いずれも、端縁部の端辺から僅かに離間した態様で施されている。また、上記端縁部（３）を横断し、これら左右のミシン目線ユニットを接続しているミシン目線（８ａ）（８ｂ）の周囲には、図１の平面図における端縁部付近の拡大斜視図である図３に示される如くに、未封着域（９）が設けられている。
【００１７】
このような態様でミシン目線が施されてなる本発明の吸湿剤袋体収納袋の集合物であれば、ミシン目線の大部分は端縁部の端辺より間隔を空けて外側に位置し、該端縁部を横断するミシン目線も、その周囲が未封着域であるため、これの製造時において、該ミシン目線が端縁部に対する接着剤の塗布の妨げになることがない。即ち、接着剤は、端縁部において、その幅方向の全域をつかって塗布することが可能であり、また、該端縁部は、長手方向には十分な長さを有しているため、接着剤を該方向に塗布する途中において、上記未封着域への塗布を部分的にとばすことは容易である。従って、該端縁部内の略中央などに長手方向に直線的にミシン目線を形成させ、これに沿ってその左右の極狭い領域に接着剤を塗布するような場合に比較して、格段に簡単に接着剤の塗布が行え、ミシン目線が該接着剤により目詰まりすることも生じることがない。
【００１８】
なお、本発明において、ミシン目線（６）は、端辺部を引き裂いて切り離される左右の吸湿剤袋体収納袋（２）の各端縁の封鎖性のバランスを勘案すれば、該端縁部を少なくとも２回は横断して、一方の端辺側に少なくとも２個のミシン目線のユニットが形成されることが必要である。上記ミシン目線が端縁部を横断する回数は、端縁部の長手方向の全長にもよるが、通常、２〜５回が適当である。
【００１９】
ミシン目線の各ユニットの長さは、特に制限されるものではないが、該端辺部を引き裂いて切り離される左右の吸湿剤袋体収納袋（２）の各端縁の封鎖状態を勘案すれば、通常、１５〜５０ｍｍであるのが好ましい。
【００２０】
本発明において、上記端縁部（３）の左右の端辺に沿って形成させるミシン目線（６）は、該端辺から通常、５ｍｍ以内の間隔で離間して形成させるのが、切り離される左右の吸湿剤袋体収納袋（２）の内容積を大きくでき、また、該収納袋の端縁の封鎖性を良好にできることから好ましい。接着剤の塗布のし易さを勘案すれば、かかるミシン目線と該端辺との間の間隔は、１〜５ｍｍであるのがより好ましい。
【００２１】
同様に、接着剤の塗布のし易さを勘案すれば、端縁部（３）を横断するミシン目線（８ａ）（８ｂ）の周囲に設ける未封着域（９）における、ミシン目線と封着域（１０）との間の間隔は、通常、３〜２０ｍｍであるのが好ましい。
【００２２】
また、吸湿剤袋体収納袋の集合物は、ミシン目線を裂かずにそのままの集合物の形態で使用する際に、折り畳んだり、他から支えを要せず自立可能なように屈曲させることができるように、端縁部の近辺に折り込み線（１１）を設けるのが好ましい。その場合、折り込み線（１１）は、端縁部（３）の端辺に近接させて設け、これと端縁部（３）の端辺との間隙に上記ミシン目線（６）を形成させるのが好ましい。また、折り込み線は、端縁部の端辺上に併せて設けても良い。
【００２３】
【発明の効果】
本発明の吸湿剤袋体収納袋の集合物は、設置しようとする隙間が奥深かったり、内部がある程度広い場合には、図４の斜視図に示すように、ミシン目線を裂かずにそのままの集合物の形態で、必要に応じて適宜の角度で屈曲させて、該隙間に挿設して除湿に供することができる。
【００２４】
他方、かかる設置しようとする隙間の奥行きが浅く幅も狭い場合には、その程度に応じて、適当な箇所で端縁部に形成されたミシン目線を裂いて、図５の斜視図に示すように吸湿剤袋体収納袋の一つを切り離したり、或いは適当な長さの集合物として切り離して、該狭い隙間に挿設して除湿に供することもできる。従って、挿設する隙間の状態に応じて臨機に適切な長さに調整してして使用することができ、極めて有用である。
【００２５】
そして、狭い端縁部にミシン目線が形成されているにもかかわらず、製造が容易であり、接着剤によりミシン目が目詰まりするようなこともない。
【００２６】
このような本願発明の吸湿剤袋体収納袋の集合物は、前述した製造方法から端縁部にミシン目線を形成することが特に困難である、吸湿剤袋体収納袋を形成する素材が厚紙であり、端縁部の封着が接着剤により行われる場合において採用するのがより効果的である。
【００２７】
また、端縁部の幅が５〜２０ｍｍと特に狭い吸湿剤袋体収納袋の集合物において採用するのがより効果的である。
【００２８】
また、端縁部の左右の端辺に沿って形成されるミシン目線は、該端辺から５ｍｍ以内の間隔で離間して形成させ、且つ端縁部を横断するミシン目線の周囲に設けられる未封着域は、該ミシン目線と封着域との間隔が３〜２０ｍｍであるように設けるのが、接着剤を端縁部により簡単に塗布する観点から好ましい。
【００２９】
また、端縁部の端辺に近接して折り込み線を設け、該折り込み線と端縁部の端辺との間隙にミシン目線が形成させることにより、本発明の吸湿剤袋体収納袋の集合物は、そのまま各収納袋を切り離さない状態で使用する場合において、折り畳んだり、他から支えを要せず自立可能なように屈曲させて使用することができるため好ましい。
【００３０】
さらに、端縁部の端辺に沿って形成される各ユニットのミシン目線の線長は１５〜５０ｍｍとするのが、端辺部を引き裂いて切り離される左右の吸湿剤袋体収納袋の各端縁の封鎖性をより優れたものにする観点から好ましい。
【図面の簡単な説明】
【図１】図１は、本発明の吸湿剤袋体収納袋の集合物の代表的態様を示す平面図である。
【図２】図２は、本発明の吸湿剤袋体収納袋の集合物の代表的態様を示す背面図である。
【図３】図３は、図１における、端縁部付近を部分的に拡大した斜視図である。
【図４】図４は、本発明の吸湿剤袋体収納袋の集合物を、ミシン目を裂かずにそのまま使用した状態を示す斜視図である。
【図５】図５は、本発明の吸湿剤袋体収納袋の集合物を、ミシン目線を裂いて、その一つを切り離して使用した状態を示す斜視図である。
【符号の説明】
１；吸湿剤袋体収納袋の集合物
２；吸湿剤袋体収納袋
３；端縁部
４；吸湿剤袋体
５ａ、５ｂ；開口部
６；ミシン目線
７ａ、７ｂ、７ｃ；端縁部に沿って形成されるミシン目線のユニット
８ａ、８ｂ；端縁部を横断するミシン目線
９；未封着域
１０；封着域
１１；折り込み線
１２；窓部
１３；吸湿剤
【図１】
0004294820.tif 000002
【図２】
0004294820.tif 000003
【図３】
0004294820.tif 000004
【図４】
0004294820.tif 000005
【図５】
0004294820.tif 000006